【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
弁本体と、該弁本体に軸方向に移動可能に支持された作動棒と、該作動棒の一端に設けられたストッパ部材と、上記弁本体に設けられ、上記ストッパ部材に接するダイアフラムを有するとともに該ダイアフラムの変位により上記ストッパ部材を介して上記作動棒を移動させるパワーエレメントと、上記作動棒の移動により上記弁本体内部に設けられたオリフィス部に接離する弁体と、を備えた温度式膨張弁において、上記ダイアフラムに対する上記作動棒の軸方向の相対位置を変更可能としたことを特徴とする温度式膨張弁。
【請求項２】
上記ストッパ部材に対する上記作動棒の軸方向の相対位置を変更可能としたことを特徴とする請求項１記載の温度式膨張弁。
【請求項３】
上記作動棒が上記ストッパ部材に螺合していることを特徴とする請求項２記載の温度式膨張弁。
【請求項４】
上記ストッパ部材が上記作動棒の軸方向に接離可能な二つの部材で構成され、上記作動棒が上記二つの部材のうちの一方に接続されていることを特徴とする請求項１記載の温度式膨張弁。
【請求項５】
上記二つの部材が螺合していることを特徴とする請求項４記載の温度式膨張弁。
【請求項６】
上記弁体を上記オリフィス部に向けて付勢するスプリングを備え、上記弁体は上記作動棒により上記スプリングの付勢方向と反対方向に押圧されることを特徴とする請求項１乃至請求項５のいずれかに記載の温度式膨張弁。
【手続補正２】
【補正対象書類名】明細書
【補正対象項目名】００１９
【補正方法】変更
【補正の内容】
【００１９】
本発明は、上記課題を達成するために、下記の手段を講じた。
請求項１記載の温度式膨張弁は、弁本体と、該弁本体に軸方向に移動可能に支持された作動棒と、該作動棒の一端に設けられたストッパ部材と、上記弁本体に設けられ、上記ストッパ部材に接するダイアフラムを有するとともに該ダイアフラムの変位により上記ストッパ部材を介して上記作動棒を移動させるパワーエレメントと、上記作動棒の移動により上記弁本体内部に設けられたオリフィス部に接離する弁体と、を備えた温度式膨張弁において、上記ダイアフラムに対する上記作動棒の軸方向の相対位置を変更可能としたことを特徴とする。
請求項２記載の温度式膨張弁は、上記ストッパ部材に対する上記作動棒の軸方向の相対位置を変更可能としたことを特徴とする。
【手続補正３】
【補正対象書類名】明細書
【補正対象項目名】００２０
【補正方法】変更
【補正の内容】
【００２０】
請求項３記載の温度式膨張弁は、請求項２記載の温度式膨張弁において、上記作動棒が上記ストッパ部材に螺合していることを特徴とする。
請求項４記載の温度式膨張弁は、請求項１記載の温度式膨張弁において、上記ストッパ部材が上記作動棒の軸方向に接離可能な二つの部材で構成され、上記作動棒が上記二つの部材のうちの一方に接続されていることを特徴とする。
【手続補正４】
【補正対象書類名】明細書
【補正対象項目名】００２１
【補正方法】変更
【補正の内容】
【００２１】
請求項５記載の温度式膨張弁は、請求項４記載の温度式膨張弁において、上記二つの部材が螺合していることを特徴とする。
請求項６記載の温度式膨張弁は、請求項１乃至請求項５記載のいずれかの温度式膨張弁において、上記弁体を上記オリフィス部に向けて付勢するスプリングを備え、上記弁体は上記作動棒により上記スプリングの付勢方向と反対方向に押圧されることを特徴とする。
【手続補正５】
【補正対象書類名】明細書
【補正対象項目名】００２２
【補正方法】変更
【補正の内容】
【００２２】
本発明は、上記構成により下記の効果を奏する。即ち、
請求項１記載の発明によれば、ダイアフラムに対する作動棒の軸方向の相対位置を変更することで作動棒による弁体の押圧の程度を変更できるので、弁体の開閉の程度を調節することができる。
請求項２記載の発明によれば、上記効果に加えて、ストッパ部材に対する作動棒の軸方向の相対位置を単に変更するだけでよい。
【手続補正６】
【補正対象書類名】明細書
【補正対象項目名】００２３
【補正方法】変更
【補正の内容】
【００２３】
請求項３記載の発明によれば、上記請求項２記載の発明の効果に加えて、作動棒とストッパ部材との螺合、即ち、ネジ結合という簡単な手段で、弁体の開閉調節を実現できる。
請求項４記載の発明は、請求項１記載の発明の効果に加えて、比較的径の大きいストッパ部材により、弁体を開閉調節できるから、その操作が容易となり、また、二部材の結合関係も安定する。
【手続補正７】
【補正対象書類名】明細書
【補正対象項目名】００２４
【補正方法】変更
【補正の内容】
【００２４】
請求項５記載の発明によれば、請求項４記載の発明の効果に加えて、二部材の螺合、即ち、ネジ結合という簡単な手段で、弁体の開閉調節を実現できる。
請求項６記載の発明によれば、請求項１乃至請求項５記載のいずれかの発明の効果において、スプリング側の調整を不要としたことで、弁体の気密性の向上と、弁本体の構成を簡略化することができる。
【手続補正８】
【補正対象書類名】明細書
【補正対象項目名】００３１
【補正方法】変更
【補正の内容】
【００３１】
ダイアフラムの圧力室８２の反対側（下部）には、ストッパ部材９０が配接される。第３の通路２６の冷媒は開口部１２を介してストッパ部材の裏面に導入される。ストッパ部材９０は、ダイアフラム８０の変位に追従して上下に摺動する。ストッパ部材９０は、作動棒６０に連結され、作動棒６０の先端（下端）は弁体３０に当接する。ダイアフラム８０の変位は、作動棒６０を介して弁体３０をスプリング３４による付勢力に抗して押圧し、オリフィス部４０との間の流路面積を制御する。また、ストッパ部材９０の上面にはダイアフラム当接面９１が形成され、また、その周部には外延部９２が形成されて、上記下蓋７２ｂの内面に形成される受け部７２ｃに当接するように形成される。
【手続補正９】
【補正対象書類名】明細書
【補正対象項目名】００３２
【補正方法】変更
【補正の内容】
【００３２】
次に、図２を用いて、ストッパ部材９０に対する作動棒６０の設定位置調整手段について説明する。
上記ストッパ部材９０の下部には一体的に円筒状の連結筒部９３が形成され、この連結筒部９３の内周には雌ネジ部９４ａが形成され、また、この中心部の孔９４内には、上記作動棒６０の上端部に形成された径小部６２外周の雄ネジ部６３が螺合される。そして、この作動棒６０の回転により、孔９４から径小部６２を出入りさせてストッパ部材９０に対する作動棒６０の軸方向の相対位置を調整することができる。
【手続補正１０】
【補正対象書類名】明細書
【補正対象項目名】００３８
【補正方法】変更
【補正の内容】
【００３８】
図４に示すように、ダイアフラムの圧力室８２の下部には、ストッパ部材９０が配接される。このストッパ部材９０の特徴は、上下（ストッパ部材９０の移動方向）に二分割されて、作動棒６０の軸方向に接離可能な二つの部材としての上方のダイアフラム当接部９０ａと下方の調整部９０ｂとからなり、ダイアフラム当接部９０ａの下面には孔９５が形成され、その内周部には雌ネジ９５ａが形成されている。また、調整部９０ｂの周部には前記雌ネジ９５ａと螺合可能な雄ネジ９６が形成され、更に、調整部９０ｂの下方には、連結筒部９３が下方に延設されている。そして、この連結筒部９３の中心の孔９４には、作動棒６０の上端部が挿入・固定されるようになっている。